(57)【特許請求の範囲】
【請求項１】
仕切りパネルで個別に区切られたトイレブースに設置された水洗便器に洗浄水を供給するフラッシュバルブ装置の開閉手段を開閉するための装置であって、
前記仕切りパネルに組み込まれる固定パネルに設置されるプッシュボタンと、該プッシュボタンの押圧操作に連動して動作する駆動部とを備えた押圧操作装置と、
該押圧操作装置の前記プッシュボタンの押圧操作で前記駆動部により牽引されるワイヤーを具備する制御ケーブルと、
前記ワイヤーが牽引されることで前記フラッシュバルブ装置の前記開閉手段を開閉する開閉駆動装置とから成り、
前記押圧操作装置の駆動部は、
変形可能に菱形状に連結されたリンク材の一か所の連結部が支持部材に係止され、
該係止された連結部と対向する連結部には前記プッシュボタンの押圧操作を伝達する押圧軸材が係止され、
更に前記制御ケーブルを係止したリンク材の他の連結部と、該連結部に対向する連結部には前記ワイヤーの端部が係止されることを特徴とするワイヤー式洗浄ボタン装置。
【請求項２】
仕切りパネルで個別に区切られたトイレブースに設置された水洗便器に洗浄水を供給するフラッシュバルブ装置の開閉手段を開閉するための装置であって、
前記仕切りパネルに組み込まれる固定パネルに設置されるプッシュボタンと、該プッシュボタンの押圧操作に連動して動作する駆動部とを備えた押圧操作装置と、
該押圧操作装置の前記プッシュボタンの押圧操作で前記駆動部により牽引されるワイヤーを具備する制御ケーブルと、
前記ワイヤーが牽引されることで前記フラッシュバルブ装置の前記開閉手段を開閉する開閉駆動装置とから成り、
前記押圧操作装置の駆動部は、
前記プッシュボタンに連結された押圧軸材の先端部に連続する歯を形成したラックと、
該ラックの歯に噛み合わされた歯車のピニオンとを有し、
該ピニオンが回転する際に連動して前記ワイヤーを牽引するための牽引アームを有することを特徴とするワイヤー式洗浄ボタン装置。
【請求項３】
仕切りパネルで個別に区切られたトイレブースに設置された水洗便器に洗浄水を供給するフラッシュバルブ装置の開閉手段を開閉するための装置であって、
前記仕切りパネルに組み込まれる固定パネルに設置されるプッシュボタンと、該プッシュボタンの押圧操作に連動して動作する駆動部とを備えた押圧操作装置と、
該押圧操作装置の前記プッシュボタンの押圧操作で前記駆動部により牽引されるワイヤーを具備する制御ケーブルと、
前記ワイヤーが牽引されることで前記フラッシュバルブ装置の前記開閉手段を開閉する開閉駆動装置とから成り、
前記押圧操作装置の駆動部は、
前記プッシュボタンに連結された押圧軸材の先端部に形成されたボールネジ外筒と、
該ボールネジ外筒の内壁に取り付けられたボールネジ用ベアリングと、
支持部材に設置された固定部材に一方の端部を回転自在に係止され、且つボールネジ用ベアリングが嵌入される螺旋溝が形成されたボールネジとを有し、
前記プッシュボタンを押圧する際、ボールネジ用ベアリングが螺旋溝に沿って移動しボールネジが回転するのに連動して、
ボールネジには前記ワイヤーを牽引するための牽引アームを有することを特徴とするワイヤー式洗浄ボタン装置。
【請求項４】
前記開閉駆動装置は、
前記フラッシュバルブ装置に固定クランプと支持金具で固定され、該支持金具の端部に垂直に形成された固定板と、
該固定板に蝶番で可動可能に取り付けられた傾動板とを有し、
該傾動板が前記フラッシュバルブ装置の前記開閉手段を傾倒可能に係止し、
更に前記傾動板には前記押圧操作装置により牽引される前記ワイヤーの他方の端部が係止されることを特徴とする請求項１乃至３のいずれか１項に記載のワイヤー式洗浄ボタン装置。
【請求項５】
前記開閉駆動装置が、
前記フラッシュバルブ装置に固定クランプと固定板とで固定され、
該固定板には蝶番で可動可能に取り付けられた傾動板を有し、
該傾動板が前記フラッシュバルブ装置の前記開閉手段を傾倒可能に係止し、
更に傾動板には前記押圧操作装置により牽引される前記ワイヤーの他方の端部が係止されることを特徴とする請求項１乃至３のいずれか１項に記載のワイヤー式洗浄ボタン装置。
【請求項６】
請求項１乃至５のいずれか１項に記載されたワイヤー式洗浄ボタン装置であって、
前記トイレブースを複数連結して配置する際、前記ワイヤー式洗浄ボタン装置が各トイレブースの所定の位置に設置されることを特徴とするワイヤー式洗浄ボタン装置を備えたトイレブース。
【請求項７】
請求項１乃至５のいずれか１項に記載のワイヤー式洗浄ボタン装置であって、
前記トイレブースに設置されるトイレットペーパ、予備のペーパーホルダー、及び便座クリーナが収納されている統合パネルに、前記押圧操作装置が組み込まれることを特徴とするワイヤー式洗浄ボタン装置を備えたトイレブース。
【発明の詳細な説明】
【技術分野】
【０００１】
本発明は、オフィスやビルに設置されているユニット式のトイレ設備に設置されている水洗便器において、統合パネルに組み込まれた放水を制御するフラッシュバルブ装置の放水弁を開閉操作するためのワイヤー式洗浄ボタン装置及びそれを備えたトイレブースに関する。
【背景技術】
【０００２】
従来、オフィスやビルに設置されているトイレ設備には、水洗便器を洗浄する洗浄水を制御するための装置として、水道管に接続されたフラッシュバルブ装置が水洗便器の側面や後部、或いは便器に接続されたタンク内、和式の場合は前方に配置されている。
【０００３】
これらのトイレ設備は各階の数箇所に設置するため、設置を簡略にするため統一仕様のトイレブースを複数個まとめて縦配置、或いは横一列や向かい合わせて配置されている場合が多く、放水バルブを操作するためのフラッシュバルブ装置の位置も統一されている。
【０００４】
例えば、図９に示す複合ビルなどに設置されている一般的なトイレブースは、単独のトイレットペーパホルダー２４０や、水洗便器２００の横に従来のフラッシュバルブ装置２１０が配置されている。また水道管２２０とストップバルブ２２１を介して接続されたフラッシュバルブ装置２１０は、放水バルブ２１２を開閉する開閉レバー２１１の操作により洗浄水が放水管２３０を通って水洗便器２００に供給され便器２０１内の排泄物を洗浄して排水される配置となっている。
【０００５】
例えば、水洗便器に取り付けられたフラッシュバルブ装置の配置については、フラッシュバルブ装置と手動操作装置の取り付け位置の自由度を増すと共に、操作性を高め更にメンテナンスを容易にする水洗便器のフラッシュバルブ装置が開示されている（特許文献１を参照）。
【先行技術文献】
【特許文献】
【０００６】
【特許文献１】特開２００２−３１７４８１号公報
【発明の概要】
【発明が解決しようとする課題】
【０００７】
しかし、従来のフラッシュバルブ装置の基本構造は、手動操作用の開閉レバーとフラッシュバルブ装置が一体となっているため、洋式の場合は水洗便器の背後、或いは側面に配置する必要があり、フラッシュバルブ装置の設置位置の自由度が制限され、或いは設置位置によっては開閉レバーの操作性が悪くなるという問題があった。
【０００８】
また、ホテルやオフィス等の複合ビルに設置されるトイレ設備は高級化すると共に、統一仕様のトイレブースを複数並べて設置されるため、水洗便器とフラッシュバルブ装置の配置には、操作性能と美観、及び容易なメンテナンス性能を兼備えた配置が要求されている。
【０００９】
また、美観を損なうフラッシュバルブ装置を隠した構造を実現するため、最近の遠隔操作パネルには、有線或いは無線により駆動される電磁駆動式フラッシュバルブ装置が設置されている。この電磁駆動式フラッシュバルブ装置の場合、トイレブースとフラッシュバルブ装置を化粧パネルなどで隔てて配置できる等の美観の向上と配置の自由度が増す反面、故障した場合にフラッシュバルブ装置の手動開閉レバーの操作が困難になる問題と、メンテナンスの際にフラッシュバルブ装置の点検には化粧パネルを取り外す必要があった。
【００１０】
本発明は、以上の問題点に着目して成されたもので、美観を損なうフラッシュバルブ装置の配置位置をトイレブースと化粧パネルで隔てて自由に配置できる統一仕様のトイレブース構造と、停電などで遠隔操作パネルからの電磁駆動によるフラッシュバルブ装置の開閉操作ができない場合でも、フラッシュバルブ装置の手動開閉レバーを操作可能にして水洗便器に洗浄水を供給できるワイヤー式洗浄ボタン装置及びそれを備えたトイレブースを提供することを目的とする。
【課題を解決するための手段】
【００１１】
本発明は上述の目的を達成するため、以下（１）〜（７）の構成を備えるものである。
【００１２】
（１）仕切りパネルで個別に区切られたトイレブースに設置された水洗便器に洗浄水を供給するフラッシュバルブ装置の開閉手段を開閉するための装置であって、前記仕切りパネルに組み込まれる固定パネルに設置されるプッシュボタンと、該プッシュボタンの押圧操作に連動して動作する駆動部とを備えた押圧操作装置と、該押圧操作装置の前記プッシュボタンの押圧操作で前記駆動部により牽引されるワイヤーを具備する制御ケーブルと、前記ワイヤーが牽引されることで前記フラッシュバルブ装置の前記開閉手段を開閉する開閉駆動装置とから成り、前記押圧操作装置の駆動部は、変形可能に菱形状に連結されたリンク材の一か所の連結部が支持部材に係止され、該係止された連結部と対向する連結部には前記プッシュボタンの押圧操作を伝達する押圧軸材が係止され、更に前記制御ケーブルを係止したリンク材の他の連結部と、該連結部に対向する連結部には前記ワイヤーの端部が係止されることを特徴とするワイヤー式洗浄ボタン装置。
（２）仕切りパネルで個別に区切られたトイレブースに設置された水洗便器に洗浄水を供給するフラッシュバルブ装置の開閉手段を開閉するための装置であって、前記仕切りパネルに組み込まれる固定パネルに設置されるプッシュボタンと、該プッシュボタンの押圧操作に連動して動作する駆動部とを備えた押圧操作装置と、該押圧操作装置の前記プッシュボタンの押圧操作で前記駆動部により牽引されるワイヤーを具備する制御ケーブルと、前記ワイヤーが牽引されることで前記フラッシュバルブ装置の前記開閉手段を開閉する開閉駆動装置とから成り、前記押圧操作装置の駆動部は、前記プッシュボタンに連結された押圧軸材の先端部に連続する歯を形成したラックと、該ラックの歯に噛み合わされた歯車のピニオンとを有し、該ピニオンが回転する際に連動して前記ワイヤーを牽引するための牽引アームを有することを特徴とするワイヤー式洗浄ボタン装置。
（３）仕切りパネルで個別に区切られたトイレブースに設置された水洗便器に洗浄水を供給するフラッシュバルブ装置の開閉手段を開閉するための装置であって、前記仕切りパネルに組み込まれる固定パネルに設置されるプッシュボタンと、該プッシュボタンの押圧操作に連動して動作する駆動部とを備えた押圧操作装置と、該押圧操作装置の前記プッシュボタンの押圧操作で前記駆動部により牽引されるワイヤーを具備する制御ケーブルと、前記ワイヤーが牽引されることで前記フラッシュバルブ装置の前記開閉手段を開閉する開閉駆動装置とから成り、前記押圧操作装置の駆動部は、前記プッシュボタンに連結された押圧軸材の先端部に形成されたボールネジ外筒と、該ボールネジ外筒の内壁に取り付けられたボールネジ用ベアリングと、支持部材に設置された固定部材に一方の端部を回転自在に係止され、且つボールネジ用ベアリングが嵌入される螺旋溝が形成されたボールネジとを有し、前記プッシュボタンを押圧する際、ボールネジ用ベアリングが螺旋溝に沿って移動しボールネジが回転するのに連動して、ボールネジには前記ワイヤーを牽引するための牽引アームを有することを特徴とするワイヤー式洗浄ボタン装置。
（４）前記開閉駆動装置は、前記フラッシュバルブ装置に固定クランプと支持金具で固定され、該支持金具の端部に垂直に形成された固定板と、該固定板に蝶番で可動可能に取り付けられた傾動板とを有し、該傾動板が前記フラッシュバルブ装置の前記開閉手段を傾倒可能に係止し、更に前記傾動板には前記押圧操作装置により牽引される前記ワイヤーの他方の端部が係止されることを特徴とする前記（１）乃至（３）のいずれか１項に記載のワイヤー式洗浄ボタン装置。
（５）前記開閉駆動装置が、前記フラッシュバルブ装置に固定クランプと固定板とで固定され、該固定板には蝶番で可動可能に取り付けられた傾動板を有し、該傾動板が前記フラッシュバルブ装置の前記開閉手段を傾倒可能に係止し、更に傾動板には前記押圧操作装置により牽引される前記ワイヤーの他方の端部が係止されることを特徴とする前記（１）乃至（３）のいずれか１項に記載のワイヤー式洗浄ボタン装置。
（６）前記（１）乃至（５）のいずれか１項に記載されたワイヤー式洗浄ボタン装置であって、前記トイレブースを複数連結して配置する際、前記ワイヤー式洗浄ボタン装置が各トイレブースの所定の位置に設置されることを特徴とするワイヤー式洗浄ボタン装置を備えたトイレブース。
（７）前記（１）乃至（５）のいずれか１項に記載のワイヤー式洗浄ボタン装置であって、前記トイレブースに設置されるトイレットペーパ、予備のペーパーホルダー、及び便座クリーナが収納されている統合パネルに、前記押圧操作装置が組み込まれることを特徴とするワイヤー式洗浄ボタン装置を備えたトイレブース。
【発明の効果】
【００２１】
本発明によれば、ホテルやオフィス等の複合ビルに設置されるトイレ設備の高級化に対応して、トイレブースの仕様を統一し、且つ美観を損なうフラッシュバルブ装置をトイレブースと化粧パネルで隔てて配置することを可能にして、更に停電により電磁駆動によるフラッシュバルブ装置の開閉操作ができない場合でも、フラッシュバルブ装置に装備されている手動の開閉レバーを操作して水洗便器に洗浄水を供給できるワイヤー式洗浄ボタン装置及びそれを備えたトイレブースを提供することができる。
【００２２】
また、統一仕様のトイレブースにおいて、フラッシュバルブ装置を化粧パネルなどで隔てて配置することでフラッシュバルブ装置のメンテナンス性を損なうことがないように、トイレブースの化粧パネルにメンテナンス用の点検扉を予め設けてメンテナンス性能を備えることで、トイレブースの美観と利用者の操作性に優れたワイヤー式洗浄ボタン装置及びそれを備えたトイレブースを提供することができる。
【００２３】
また、ワイヤー式洗浄ボタン装置を装備するトイレブースが、フラッシュバルブ装置の位置や水道及び汚水配管の位置を統一した仕様でユニット化されているため、和式トイレから洋式トイレへの仕様変更する場合でも、設置変更期間を短縮して低コストで設置工事が簡単に行えるワイヤー式洗浄ボタン装置及びそれを備えたトイレブースを提供することができる。
【図面の簡単な説明】
【００２４】
【図１】本実施例のワイヤー式洗浄ボタン装置とフラッシュバルブの接続図
【図２】ワイヤー式洗浄ボタン装置の手動装置の部品構成図
【図３】傾動装置によるフラッシュバルブ装置の開閉レバーの動作図、（ａ）放水バルブ閉鎖の状態、（ｂ）放水バルブ開放の状態
【図４】本実施例のワイヤー式洗浄ボタン装置の使用例を示す図
【図５】ワイヤー式洗浄ボタン装置を備えたトイレブースを使った仕様変更の配置例を示す図
【図６】フラッシュバルブの構造の違いに対応した傾動装置の構成図
【図７】本実施例のワイヤー式洗浄ボタン装置の他の構成例を示す図
【図８】本実施例のワイヤー式洗浄ボタン装置の開閉ボタン装置の他の構成例を示す図
【図９】従来のトイレブースを示す図
【発明を実施するための形態】
【００２５】
以下、本発明を実施するための形態を、図面に基づいて詳しく説明する。
【実施例１】
【００２６】
図１に示す本実施例のワイヤー式洗浄ボタン装置８０は、押圧操作装置１と傾動装置３０と制御ケーブル１０から構成されている。既存のフラッシュバルブ装置５０には、ワイヤー式洗浄ボタン装置８０の押圧操作装置１に接続された制御ケーブル１０を介して開閉駆動される傾動装置３０が、フラッシュバルブ装置５０の開閉手段の開閉レバー５１に取り付けられている。またオプション装備として、フラッシュバルブ装置５０の開閉駆動装置としては、内蔵された放水弁の開閉操作を電磁駆動方式で行う電磁バルブ駆動装置５３を備えた構成もある。
【００２７】
トイレブースを個別に区切る仕切りパネル内側の化粧パネルには、トイレットペーパホルダーなどを統合したサニタリーボックス２０（図４）が着脱可能に取り付けられ、該サニタリーボックス２０の取り付け方は、化粧パネルに埋め込んで取り付ける方式であっても良い。
【００２８】
更にサニタリーボックス２０に直接、或いは着脱可能に設置される固定パネル２１には、ワイヤー式洗浄ボタン装置８０の押圧操作装置１のプッシュボタン２と、固定パネル２１の背面でプッシュボタン２に連結された押圧軸５の先端のボールプランジャー６が、支持部材８に支点軸材１４で揺動可能に固定されたＬ字状の揺動部材７の一端を押し上げて、揺動部材７の他方の端部にボールエンド１１ａで一方の端部が係止された制御ケーブル１０のワイヤー１１が牽引される構造となっている。
【００２９】
その結果、フラッシュバルブ装置５０の開閉レバー５１に取り付けられたワイヤー式洗浄ボタン装置８０の傾動装置３０では、傾動板３４にボールエンド１１ｂで他方の端部が係止されたワイヤー１１が牽引されて傾動板３４が傾いて駆動レバー５１を傾倒させて放水バルブ５２内部の開閉弁を開き、水道管６０に接続されたストップバルブ６１の吸水管６２から洗浄水が放水管７０を通って水洗便器に供給される。
【００３０】
制御ケーブル１０の構造は、鞘管と鞘管の内部に移動可能に挿入されたワイヤー１１で構成され、鞘管の両端には制御ケーブル１１のストロークを調整できるアジャスター付きケーブルキャップ（以下ケーブルキャップと記す）１２，１３を備え、ワイヤー１１のストロークの調整はアジャストナット１２ａ，１３ａとロックナット１２ｂ，１３ｂの位置を調整して行う。尚鞘管に取り付けられるアジャスターとケーブルキャップとは、個別の部品構成であっても良い。
【００３１】
＜フラッシュバルブ装置の構成＞
フラッシュバルブ装置５０は、図１に示すように水道管６０に接続された逆流防止機構を有するストップバルブ６１の給水管６２から洗浄水が放水バルブ５２に供給される。フラッシュバルブ装置５０の開閉操作は、放水バルブ５２の内部の放水弁を手動で開閉する開閉レバー５１、またはオプション仕様で無線或いは有線で接続された遠隔操作パネルのセンサースイッチやタッチスイッチ等の電磁式スイッチからの電気信号によって、放水バルブ５２の放水弁の開閉操作を電磁駆動方式で行う電磁バルブ駆動装置５３によって行われる。
【００３２】
標準仕様のフラッシュバルブ装置５０には、ワイヤー式洗浄ボタン装置８０の内、開閉レバー５１を操作する傾動装置３０のみが取り付けられ、ワイヤー式洗浄ボタン装置８０の押圧操作装置１のプッシュボタン２を押し込む操作を、駆動部が制御ケーブル１０のワイヤー１１の牽引力に変換して傾動装置３０の傾動板３４を牽引し、開閉レバー５１を傾倒させることで放水弁の開閉操作を行う構造となっている。
【００３３】
＜ワイヤー式洗浄ボタン装置の押圧操作装置の構成＞
図２において、ワイヤー式洗浄ボタン装置８０を構成する押圧操作装置１の部品構成を説明する。サニタリーボックス２０に着脱可能に設置された固定パネル２１に穿孔されたボタン穴２１ａとほぼ同一の径を有するプッシュボタン２は、その裏側の中央に形成された穴２ａに押圧軸材５を嵌入し、嵌入された押圧軸材５の先端にはボールプランジャー６がねじ込まれ、また押圧軸材５にはプッシュボタン２を係止するＥリング５ａが取り付けられる。
【００３４】
固定パネル２１の裏面にネジ止めされた台座９には、ボタン穴２１ａの軸線に沿って台座９に穿孔されたブッシュ穴９ａにフランジ付き無給油ブッシュ３を挿入し、台座９を挟んでフランジ付き無給油ブッシュ３を台座９に固定するカラー４が取り付けられている。このフランジ付き無給油ブッシュ３には押圧軸材５が挿入され、プッシュボタン２を押した際のスムーズな押圧動作を可能にする。
【００３５】
また、フランジ付き無給油ブッシュ３から突き出た押圧軸材５には、プッシュボタン２を係止して脱落を防止し、プッシュボタン２のストロークを制限する機能を備えたＥリング５ａが所定の位置に取り付けられている。プッシュボタン２のストロークの微調整は、押圧軸材５の先端に嵌入されたボールプランジャー６のねじ込む深さで調整し、揺動部材７の揺動の変位量を制限している。
【００３６】
ネジ止め或いはリベット等で台座９に垂直に固定された支持部材８は、その支持部材８の側面に穿孔された軸穴８ｂに挿入され、両端をＥリング１４ａ，１４ｂで固定された支点軸材１４を有し、更に支持部材８の正面には制御ケーブル１０の鞘管端部のケーブルキャップ１２を固定するケーブル穴８ａが穿孔されている。
【００３７】
支持部材８に揺動部材７を係止する支点軸材１４には、支持部材８と揺動部材７の接触面の滑りを良くする樹脂製ワッシャー１４ｃ，１４ｄを具備している。支点軸材１４で揺動可能に係止されたＬ字状の揺動部材７は、プッシュボタン２を押すことで、押圧軸材５の先端にねじ込まれたボールプランジャー６が揺動部材７の端部を押し上げることで、支点軸材１４を中心に揺動部材７が回転し揺動される。その際、揺動部材７の他方の端部に穿孔された穴７ａに、ボールエンド１１ａで係止された制御ケーブル１０のワイヤー１１が、揺動により牽引される構造となっている。
【００３８】
牽引されるワイヤー１１のストロークは、支持部材８のケーブル穴８ａに固定された制御ケーブル１０の鞘管端部のケーブルキャップ１２に取り付けられているアジャストナット１２ａとロックナット１２ｂの固定位置によって調整することができる。
【００３９】
＜ワイヤー式洗浄ボタン装置の傾動装置の構成＞
図３（ａ），図３（ｂ）に示すワイヤー式洗浄ボタン装置８０を構成する傾動装置３０の動作図より、フラッシュバルブ装置５０の開閉レバー５１に取り付けられた傾動装置３０の構造は、放水バルブ５２の放水管７０との接続部に着脱可能に装着された固定クランプ３１と支持金具３２がネジ３８で固定され、支持金具３２の端部に垂直に形成された固定板３３と、その固定板３３に蝶番３５で取り付けられた傾動板３４を有している。固定板３３と傾動板３４には、其々開閉レバー５１を通すレバー穴３３ａ，３４ａが穿孔され、更に固定板３３と傾動板３４には制御ケーブル１０を取り付けるためのケーブル穴３３ｂ，３４ｂが形成されている。
【００４０】
制御ケーブル１０のケーブルキャップ１３は、固定板３３のケーブル穴３３ｂにアジャストナット１３ａとロックナット１３ｂで調整可能に取り付けられ、制御ケーブル１０の鞘管に挿入されているワイヤー１１は、傾動板３４のケーブル穴３４ｂを通した後、ボールエンド１１ｂで圧着処理して係止されている。ワイヤー式洗浄ボタン装置８０の押圧操作装置１のプッシュボタン２を押すことによって、制御ケーブル１０の鞘管に挿入されたワイヤー１１が牽引され、ワイヤー１１が係止された傾動板３４が傾動される。
【００４１】
傾動板３４を牽引するワイヤー１１のストロークは、固定板３３のケーブル穴３３ｂに固定された制御ケーブル１０のケーブルキャップ１３に取り付けられているアジャストナット１３ａとロックナット１３ｂの固定位置によって調整することができる。
【００４２】
＜トイレブースの仕様＞
図４は化粧パネル２２で個別に区切られユニット化された、統一仕様のワイヤー式洗浄ボタン装置８０を備えたトイレブース１００を示す例である。トイレブース１００の仕様は、入り口のドアと化粧パネル２２で四方を囲われ、水道給水管設備１０４とフラッシュバルブ装置５０、水洗便器４０とその汚水排水配管設備１０５、化粧パネル２２に取り付けられたサニタリーボックス２０を一つのユニットとして製造され、トイレブース１００間の水道給水管設備１０４と汚水配水管設備１０５を接続することで複数連結が可能な構造となっている。
【００４３】
サニタリーボックス２０は、トイレでの洗う、拭く、流すなどの動作に対応して公共トイレに求められる高い機能性と耐久性、及び安全性を兼備えた統合パネルで、トイレブース１００の側面の化粧パネル２２に着脱可能に埋め込まれたパネルで、ワイヤー式洗浄ボタン装置８０の押圧操作装置１や、電磁式の遠隔操作パネル５５などの洗浄操作ボタンの他に、トイレットペーパや予備のペーパーホルダー、及び便座クリーナ等の用途に応じて様々な機能を追加することが可能で、デザイン性を加味し機能美を備えた統一仕様の統合パネルである。
【００４４】
図４（ａ）に示す標準装備のトイレブース１００に装備されるフラッシュバルブ装置５０の開閉操作は、側面の化粧パネル２２に組み込まれたサニタリーボックス２０の押圧操作装置１と、制御ケーブル１０で駆動される傾動装置３０とで構成されるワイヤー式洗浄ボタン装置８０によって開閉される。
【００４５】
図４（ｂ）に示すオプション仕様のトイレブース１００において、サニタリーブボックス２０に組み込まれた開閉駆動装置には、無線或いは有線の遠隔操作パネル５５の洗浄ボタンの操作信号によってフラッシュバルブ装置５０の開閉操作を電磁駆動方式で行う電磁バルブ駆動装置５３と、停電などの非常用として、点検パネル２５に取り付けられた押圧操作装置１と制御ケーブル１０により駆動される傾動装置３０とで構成されるワイヤー式洗浄ボタン装置８０の両方を装備している。
【００４６】
水洗便器４０の背後の化粧パネル２２に設置された点検パネル２５は、フラッシュバルブ装置５０を点検するための着脱式或いは開閉式のパネルで、水道給水管設備１０４やフラッシュバルブ装置５０の点検及び整備の際の作業性を考慮した開口部の大きさを確保し、且つ美観を考慮してトイレブース１００の化粧パネル２２と同一のパネルで形成されている。
【００４７】
図５は、雑居ビルなどに設置されている２連の横向き和式仕様のトイレブース１２０から、洋式の縦向き３連の構造を持つワイヤー式洗浄ボタン装置８０を備えたトイレブース１００に仕様変更を示すものである。和式仕様のトイレブース１２０及び洋式のトイレブース１００も、水道給水管設備１０４とフラッシュバルブ装置５０、水洗便器４０とその汚水排水配管設備１０５が一つのユニットとして製造されているため、トイレブース間で連結されている水道給水管設備１０４と汚水配水管設備１０５をビルに設置されている既存の水道管及び汚水配管に接続することで、連結するトイレブース１００の数を設置場所の広さに合わせて自由に連結数を増減することが可能な構造となっている。
【００４８】
従って、本実施例のワイヤー式洗浄ボタン装置８０は押圧操作装置１と傾動装置３０を装備することで、フラッシュバルブ装置５０の設置位置及び水道給水管設備１０４、汚水配水管設備１０５取り付け位置を統一してユニット化したトイレブース１００を連結し複数組み合わせることができる。その結果、顧客の様々な要求に対しても設置工事期間の短縮を図り、且つ低コストで設置できるワイヤー式洗浄ボタン装置８０を備えたトイレブース１００を提供することが可能となる。
【００４９】
尚、本実施例ではフラッシュバルブ装置５０の設置位置を水洗便座４０の背面の化粧パネル２２の後方に配置した構成で説明しているが、側面のサニタリーボックス２０の後方にフラッシュバルブ装置５０を設置する構成の仕様のトイレブース１００であっても良く、フラッシュバルブ装置５０の設置位置は、任意の位置に設置可能であり本発明を制限するものではない。
【実施例２】
【００５０】
既存のトイレブースの場合、トイレの洗う、拭く、流すなどの動作に対応してトイレットペーパや予備のペーパーホルダー、及び便座クリーナ等の用途に応じて様々な機能を追加された統一仕様のサニタリーボックス２０が組み込まれているのが常である。それらのサニタリーボックス２０に、本実施例のワイヤー式洗浄ボタン装置８０を後から組み込むことができる構成を説明する。
【００５１】
また、市販のフラッシュバルブ装置５０の開閉手段には、開閉レバー５１の他に開閉ボタン５５による開閉方式があるため、ワイヤー式洗浄ボタン装置８０の新たな構成についても説明する。
【００５２】
図６（ａ）に示すワイヤー式洗浄ボタン装置８０を構成する傾動装置１３０は、市販されている既存のフラッシュバルブ装置５０の構造が製造元により開閉レバー５１の取り付け位置が異なる構造を有するため、其々の製造元の構造に対応した傾動装置１３０を示している。
【００５３】
また、製造元の違いによるフラッシュバルブ装置５０の開閉手段の構造には、開閉レバー５１を使用せず押圧式の開閉ボタン５５（図７）を備えるフラッシュバルブ装置５０があり、図６（ｂ）はその開閉ボタン５５に対応した開閉ボタン押圧装置１４０の構造を示すものである。
【００５４】
図６（ａ）の傾動装置１３０と図３で説明した傾動装置３０との違いは、固定クランプ３１に対応する支持金具３２を必要としない構造で、固定クランプ１３１が直に固定板１３３にネジ１３８で取り付けられる構造となっている。
【００５５】
その他の構造において、固定板１３３に蝶番１３５で取り付けられた傾動板１３４を有し、固定板１３３と傾動板１３４には其々開閉レバー５１を通すレバー穴１３３ａ，１３４ａが穿孔され、更に固定板１３３と傾動板１３４には制御ケーブル１０の取り付けるためのケーブル穴１３３ｂ，１３４ｂが形成される構造は、図３に示した傾動装置３０と同一で、動作に関しても違いはない。
【００５６】
図６（ｂ）に示した開閉ボタン押圧装置１４０は、フラッシュバルブ装置５０の開閉手段が傾動式の開閉レバー５１と異なり、押圧式の開閉ボタン５５に対応した開閉ボタン押圧装置１４０を示す構成である。フラッシュバルブ装置５０の開閉ボタン５５をテコの原理を利用して半球突起１４３が制御ケーブル１０のワイヤー１１が牽引されることにより押圧する構造で、固定クランプ１４１と支持金具１４２がネジ１４８で取り付けられる構造となっている。支持金具１４２の一方の端部に設けられたケーブル穴１４２ａに制御ケーブル１０のケーブルキャップ１３が固定され、ワイヤー１１は連結された固定クランプ１４１と支持金具１４２の他方の端部に支点軸材１４５で回転可能に固定された傾動板１４４の他方の端部にボールエンド１１ｂで固定される。
【００５７】
ワイヤー１１が牽引されることで傾動板１４４が支点軸材１４５を軸として回転し、半球突起１４３が開閉ボタン５５を押圧する構造となっている。
【００５８】
図７に示すワイヤー式洗浄ボタン装置８０は、フラッシュバルブ装置５０の開閉手段が開閉ボタン５５を有する場合で、その押圧式の開閉ボタン５５に対応した開閉ボタン押圧装置１５０を具備する構成図である。図７（ａ）は押圧操作装置１の駆動部がリンク材を菱形状に連結した菱形リンク９１と、フラッシュバルブ５０の開閉ボタン５５を押す押圧軸１５２を駆動する菱形リンク１５１を組み合わせた構成で、押圧操作装置１と開閉ボタン装置１５０の両方に四個のリンク材を菱形状に変形可能に連結し、形成された菱形の対角線の伸縮を駆動力として利用したリンク構造である。
【００５９】
図７（ｂ）は押圧操作装置１のプッシュボタン２が押された際、駆動部の菱形リンク９１と、フラッシュバルブ５０の開閉ボタン５５を押す押圧軸１５２を駆動する菱形リンク１５１との連携動作を示している。
【００６０】
図７（ａ），図７（ｂ）に示す菱形リンク９１，１５１を組み合わせた構成では、プッシュボタン２を押すことで押圧軸材５の先端のボールプランジャー６が菱形リンク９１の連結部９１ｆを押し上げると、対向する連結部９１ｃが支持部材８に回転可能に係止されているため、菱形リンク９１の動作は、連結部９１ｇに係止された制御ケーブル１０の鞘管と、連結部９１ｈに係止されたワイヤー１１とを牽引するように変形する。そのため開閉ボタン装置１５０の菱形リンク１５１では、対角線上の連結部１５１ｇと連結部１５１ｈに渡された制御ケーブル１０のワイヤー１１が牽引されることで変形し、菱形リンク１５１の連結部１５１ｅが支持金具１５４に回転可能に係止されていることで、連結部１５１ｆに係止された押圧軸１５２がフラッシュバルブ５０の開閉ボタン５５を押圧し、フラッシュバルブ装置５０の開閉弁を開放する。
【００６１】
図７（ｃ）に示すラック＆ピニオンを利用したワイヤー式洗浄ボタン装置８０の構成は、歯竿と呼ばれる平行に歯が刻まれたラック９２，１６１と円形の歯車のピニオン９３，１６３とを組み合わせた構成で、押圧操作装置１と開閉ボタン装置１５０の両方にラック＆ピニオンを利用している。
【００６２】
プッシュボタン２を押すことで、一部がカットされた円形のピニオン９３が回転し、噛み合わされたラック９２が平行移動し、係止された制御ケーブル１０のワイヤー１１が牽引される。そのため開閉ボタン装置１５０のピニオン１６３に係止されたワイヤー１１が牽引されてピニオン１６３が回転し、噛み合わされたラック１６１に取り付けられた押圧軸１５２がフラッシュバルブ装置５０の開閉ボタン５５を押圧し、フラッシュバルブ装置５０の開閉弁を開放する。
【００６３】
図８は、図２に示した押圧操作装置１の構造をより小型簡略化した新たな構成を示すものである。図８（ａ）に示す押圧操作装置１の駆動部は、図２で示した押圧操作装置１をより小型簡略化した構造で、固定パネル２１に形成されたボタン穴２１ａを移動するプッシュボタン２の動きを妨げない程度に台座９の厚みを薄くし、押圧軸材５を保持するカラー４の厚みも薄くして、更に押圧軸材５とボールプランジャー６も薄くすることで固定パネル２１の背面の駆動部の突出幅を詰めた構造となっている。駆動部の突出幅を抑えることで、既存サニタリーボックス２０や化粧パネル２２に後付けで設置する際、設置スペースに柔軟に対応する構造を有している。
【００６４】
図８（ａ）に示す支持部材８に支点軸材９４ａで回転可能に係止された揺動部材９４は、実施例１とは異なりプッシュボタン２側に折れ曲がった形状で、制御ケーブル１０のワイヤー１１を押圧軸材５方向に牽引する構造となっている。
【００６５】
図８（ｂ）は、図７（ｃ）に示したラック＆ピニオンを小型簡略化した構造で、プッシュボタン２に連結された押圧軸材５の先端部に歯を形成したラック９５として利用し、噛み合わされた歯車のピニオン９６に制御ケーブル１０のワイヤー１１を係止した牽引アーム９６ａを形成した構造で、ピニオン９６の回転に連動してワイヤー１１を牽引する構造である。
【００６６】
図８（ｃ）は、ボールペンなどに利用されている斜めに当接した駆動片９７ａと回転片９８ａとの働きで直線運動を回転運動に変えるプッシュノック方式の構造で、押圧軸材５の先端部に設けられた駆動軸材９７が回転軸材９８に移動可能に挿入され、対向する回転軸材９８には戻しスプリング９９の抗力が加えられている。プッシュボタン２が押されることで駆動軸材９７に形成された駆動片９７ａが回転軸材９８に形成された回転片９８ａに接触すると、斜めに形成された当接面の働きで回転片９８ａが回転軸材９８を回転する方向に力を受けるため、回転軸材９８の牽引アーム９８ｂに係止された制御ケーブル１０のワイヤー１１が回転軸材９８に巻きとられるように牽引される構造となっている。
【００６７】
図８（ｄ）は、プッシュボタン２の押圧軸材５と一体となったボールネジ外筒１９０の内壁に取り付けられたボールネジ用ベアリング１９１が、支持部材８に設置された固定部材１９２ｂに回転自在に係止されたボールネジ１９２の螺旋溝１９２ａに嵌入され、プッシュボタン２を押すことでボールネジ用ベアリング１９１が螺旋溝１９２ａに沿って移動することでボールネジ１９２が回転し、ボールネジ１９２の牽引アーム１９２ｃに係止された制御ケーブル１０のワイヤー１１が巻きとられるように牽引される構造となっている。
【００６８】
図８に示した駆動方法は、フラッシュバルブ装置５０の開閉機構が開閉ボタン装置の場合、開閉ボタン５５を押す開閉ボタン装置１５０の駆動機構として使用することも可能である。
【００６９】
上述した押圧操作装置１の構成は、既存のサニタリーボックス２０に後付けで組み込むことが可能であり、既存のトイレブースの一部仕様を変更する際、ワイヤー式洗浄ボタン装置８０を構成する押圧操作装置１、傾動装置３０及び開閉ボタン装置１４０，１５０を単独で組み込むことができる汎用性のあるワイヤー式洗浄ボタン装置８０を提供することができる。
【００７０】
以上、本実施例によれば公衆トイレやホテル、オフィス等の複合ビルに設置されるトイレ設備の仕様変更に対応して、トイレブースの仕様を統一し、且つ美観を損なうフラッシュバルブ装置をトイレブースと化粧パネルで隔てて配置することを可能にし、更に停電により電磁駆動によるフラッシュバルブ装置の開閉操作ができない場合でも、フラッシュバルブ装置の手動の開閉レバーを操作して水洗便器に洗浄水を供給できる押圧操作装置と制御ケーブル及び傾動装置或いは開閉ボタン装置で構成されるワイヤー式洗浄ボタン装置及びそれを備えたトイレブースを提供することができる。
【００７１】
また、統一仕様のワイヤー式洗浄ボタン装置を備えたトイレブースにおいて、フラッシュバルブ装置を化粧パネルなどで隔てて配置することでフラッシュバルブ装置のメンテナンス性を損なうことがないように、トイレブースの化粧パネルにメンテナンス用の点検扉を予め設けてメンテナンス性能を備えることで、トイレブースの美観と利用者の操作性に優れたワイヤー式洗浄ボタン装置及びそれを備えたトイレブースを提供することができる。
【００７２】
また、ワイヤー式洗浄ボタン装置を備えたトイレブースが統一仕様でユニット化されているため、和式トイレから洋式トイレへの設置変更期間を短縮して低コストで設置工事が簡単に行えるワイヤー式洗浄ボタン装置及びそれを備えたトイレブースを提供することができる。
【００７３】
更に、既存のトイレ施設に本実施例のワイヤー式洗浄ボタン装置のうち、制御ケーブルによる駆動が可能であれば、押圧操作装置や傾動装置或いは開閉ボタン装置を単独で交換設置することも可能な汎用性に優れたワイヤー式洗浄ボタン装置を提供することができる。
【符号の説明】
【００７４】
１      押圧操作装置
２      プッシュボタン
３      フランジ付き無給油ブッシュ
４      カラー
５      押圧軸材
６      ボールプランジャー
７      揺動部材
８      支持部材
９      台座
１０    制御ケーブル
１１    ワイヤー
１２    アジャスター付きケーブルキャップ
１３    アジャスター付きケーブルキャップ
１４    支点軸材
２０    サニタリーボックス
２１    固定パネル
２２    化粧パネル
２５    点検パネル
３０    傾動装置（開閉駆動装置に対応）
３１    固定クランプ
３２    支持金具
３３    固定板
３４    傾動板
３５    蝶番
３８    ネジ
４０    水洗便器
５０    フラッシュバルブ
５１    開閉レバー（開閉手段に対応）
５２    放水バルブ
５３    電磁バルブ駆動装置（開閉駆動装置に対応）
５５    開閉ボタン（開閉手段に対応）
６０    水道管
６１    ストップバルブ
６２    給水管
７０    放水管
８０    ワイヤー式洗浄ボタン装置
９１    菱形リンク
９１ｅ  リンクガイド溝
９２    ラック
９３    ピニオン
９４    揺動部材
９４ａ  支点軸
９５    ラック
９６    ピニオン
９７    傾斜押圧軸材
９８    傾斜回転軸材
９９    戻り用スプリング
１００  トイレブース
１０４  水道給水管設備
１０５  汚水配水管設備
１２０  和式トイレブース
１３０  傾動装置
１３１  固定クランプ
１３２  支持金具
１３３  固定板
１３４  傾動板
１３５  蝶番
１３８  ネジ
１４０  開閉ボタン装置
１４１  固定クランプ
１４２  支持金具
１４３  半球突起
１４４  傾動板
１４５  支点軸材
１４８  ネジ
１５０  開閉ボタン装置（開閉駆動装置に対応）
１５１  菱形リンク
１５２  押圧軸
１５３  固定クランプ
１５４  支持金具
１６１  ラック
１６２  ピニオン
１９０  ボールネジ外筒
１９１  ベアリング
１９２  ボールネジ
２００  水洗便器
２０１  便器
２１０  フラッシュバルブ
２１１  開閉レバー
２１２  放水バルブ
２２０  水道管
２２１  ストップバルブ
２３０  放水管
２４０  トイレットペーパホルダー
【図１】
0005693169.tif 000002
【図２】
0005693169.tif 000003
【図３】
0005693169.tif 000004
【図４】
0005693169.tif 000005
【図５】
0005693169.tif 000006
【図６】
0005693169.tif 000007
【図７】
0005693169.tif 000008
【図８】
0005693169.tif 000009
【図９】
0005693169.tif 000010